(57)【要約】【課題】外部環境が変化したときの液垂れ防止効果を向上させ、筆毛部材への液体の供給時の内圧変化を低減することができる液体滲出具を提供する。【解決手段】本発明による液体滲出具(1)は、滲出すべき液体を収容する中空の軸部材(6)と、軸部材(6)から供給された液体を吸蔵し、滲出させるための筆毛部材組立体(8)と、軸部材(6)の内部を軸線方向に仕切る仕切り壁部材(10)と、仕切り壁部材(10)の両側を連通させる弁組立体(12)と、を有する。仕切り壁部材(10)は、連通孔(50)を備えた仕切り側壁(48)を有する。弁組立体(12)は、連通孔(50)を閉鎖する弁本体(52)と、弁本体(52)を連通孔(50)に弾性的に押付けるコイルばね(54)と、弁本体(52)から連通孔(50)を貫いて軸部材(6)の側壁(18)の近傍まで延び、外部から押し込み可能な弁延長部(56)と、を有する。【選択図】      図２
2004202875.tif 000002
【特許請求の範囲】
【請求項１】
軸部材から突出した筆毛部材から液体を滲出させる液体滲出具であって、
滲出すべき液体を収容するための、一端が閉鎖され且つ側壁を有する中空の軸部材と、
前記軸部材の他端から突出し、前記軸部材の内部から供給された液体を吸蔵し且つ滲出させるための筆毛部材と、
前記軸部材の内部をその軸線方向に仕切る仕切り壁部材と、
前記仕切り壁部材の両側を連通させることを可能にするための弁手段と、を有し、
前記仕切り壁部材は、前記軸部材の側壁とほぼ平行に且つそれと間隔を隔てて延びる仕切り側壁を有し、この仕切り側壁は、その両側を連通させる連通孔を有し、
前記弁手段は、前記連通孔を閉鎖するために前記仕切り側壁の他端側に配置された弁本体と、前記連通孔を閉鎖するように前記弁本体を前記連通孔に弾性的に押付けるための弁押付け手段と、前記弁本体から前記連通孔を貫いて前記軸部材の側壁の近傍まで延びる弁延長部と、を有し、
前記軸部材の側壁は、前記弁延長部を外部から押し込むための押し込み可能部分を含むことを特徴とする液体滲出具。
【請求項２】
更に、前記弁延長部の押し込み距離を制限する制限手段を有する、請求項１に記載の液体滲出具。
【請求項３】
更に、前記仕切り壁部材の他端側に配置され、滲出すべき液体を吸蔵する吸蔵部材を有する、請求項１又は２に記載の液体滲出具。
【請求項４】
更に、前記軸部材の側壁の押し込み可能部分を覆うカバー手段を有する、請求項１乃至３の何れか１項に記載の液体滲出具。
【請求項５】
前記軸部材は、前記筆毛部材に隣接した握り部を有し、前記押し込み可能部分は、前記軸部材の握り部の近傍に配置される、請求項１乃至４の何れか１項に記載の液体滲出具。
【請求項６】
前記軸部材は、他端側に配置された中空の前軸体と、この前軸体の一端側に取付けられた可撓性で中空の後軸体とからなり、この後軸体は、前記押し込み可能部分を含む側壁を有し、前記仕切り壁部材は、前記前軸体に挿入された部分と、前記前軸体の内部から前記後軸体の内部に凸状に突出した部分と、を有し、前記仕切り側壁は、前記仕切り壁部材の凸状に突出した部分に設けられ、前記弁延長部の前記弁本体と反対の側に、拡張部材が設けられ、前記弁押付け手段は、前記拡張部材と前記仕切り側壁の間に配置されたコイルばねである、請求項１乃至５の何れか１項に記載の液体滲出具。
【発明の詳細な説明】
【０００１】
【発明の属する技術分野】
本発明は、液体滲出具に関し、更に詳細には、水性インク、油性インク、水、墨汁、メイクアップ化粧料、香料等の液体を筆毛部材から滲出させる液体滲出具に関する。
【０００２】
【従来の技術】
従来から、ボールペン、フェルトペン、筆ペン、万年筆、マーカー、修正ペン等、多くの種類の液体滲出具が知られている。これらの液体滲出具の一例として、粘性の小さい液体、例えば、水を筆毛部材から滲出させることができる液体滲出具が知られている(例えば、特許文献１及び２参照)。また、顔料インキなどの固形分率の高いインキ類又は糊を先端部材から滲出させる液体滲出具が知られている(例えば、特許文献３参照)。
【０００３】
図５は、特許文献２に記載されている塗布具の縦断面図である。図５に示すように、塗布具１００は、前軸１０２と後軸１０４とからなる中空の軸部材と、前軸１０２から突出した塗布体１０６、即ち、筆毛部材と、を有する。前軸１０２及び後軸１０４の内部は、滲出すべき水を収容するための塗布液収容室１０８を構成する。後軸１０４は、可撓性の側壁１１０を有する。塗布液収容室１０８と筆毛部材１０６との間には、中栓貫通孔１１２を有する中栓組立体１１４が設けられ、中栓貫通孔１１２は、塗布液収容室１０８から筆毛部材１０６への液体の供給量を制限するに十分小さい寸法の断面を有する。
【０００４】
塗布具１００の使用の際、後軸１０４の可撓性の側壁１１０を押圧することによって、水を塗布液収容室１０８から中栓貫通孔１１２を通して筆毛部材１０６に供給し、水を筆毛部材１０６に吸蔵させ、即ち、吸収させ且つ貯蔵させ、筆毛部材１０６を紙等に押付けることによって水を筆毛部材１０６から滲出させる。後軸１０４の側壁１１０の押圧の際に水が筆毛部材１０６に過剰に供給されないように、塗布液収容室１０８から筆毛部材１０６への水の供給量は、中栓貫通孔１１２によって制限され、筆毛部材１０６から液垂れが生じないようになっている。
【０００５】
図６は、特許文献３に記載されている筆記具の縦断面図である。図６に示すように、筆記具１２０は、前軸１２２と後軸１２４とからなる中空の軸部材と、前軸１２２から突出したせんい芯ペン体１２６とを有する。後軸１２４は、可撓性の側壁１２８を有する。後軸１２４の内部は、筒状体１３０によって、顔料インキ等を収容するインキ室１３２と筒状体内部１３４とに軸線方向に仕切られる。筒状体１３０は、インキ室１３２と筒状体内部１３４とを連通する連通孔１３６を有する。筆記具１２０は、連通孔１３６を閉鎖するためにスプリング１３８によって連通孔１３６に押し付けられる球状弁１４０と、連通孔１３６を開放するように球状弁１４０を押すための弾性棒１４２とを有する。
【０００６】
球状弁１４０によって連通孔１３６が閉鎖されているとき、インキ室１３２からせんい芯ペン体１２６に顔料インキが供給されないようになっている。筆記具１２０の使用の際、後軸１２４の可撓性の側壁１２８を両側から押圧することによって、弾性棒１４２及び球状弁１４０を介して連通孔１３６を開放し、顔料インキをインキ室１３２からせんい芯ペン体１２６に供給する。せんい芯ペン体１２６を紙等に押付けることによって、顔料インキをせんい芯ペン体１２６から滲出させる。
【０００７】
【特許文献１】
実用新案登録第３０２６８８７号公報  (段落0007〜0011)
【特許文献２】
特開平１１−２０３７５号公報  (段落0006〜0013)
【特許文献３】
実開昭５８−１４７７８３号公報  (第２図、明細書第２頁)
【０００８】
【発明が解決しようとする課題】
特許文献２に記載されている塗布具１００は、上述のように、中栓貫通孔１１２の断面寸法が小さいので、後軸１０４の側壁１１０を両側から押しつぶしても、塗布液収容室１０８内の水が筆毛部材１０６に過剰に供給されないようになっている。しかしながら、塗布液収容室１０８と筆毛部材１０６とが中栓貫通孔１１２によって常時連通しているので、外部環境の変化により、筆毛部材１０６から液垂れが生じるおそれがある。例えば、塗布具１００が飛行機内にある場合等、外気圧が液体収容室１０８の内圧よりも低い状態が続いた場合や、真夏に塗布具を自動車内に放置した場合等、高温の状態が続いた場合などである。
【０００９】
これに対し、特許文献３に記載されている筆記具１２０は、連通孔１３６を閉鎖する球状弁１４０を有しているので、外部環境が変化した場合であっても、せんい芯ペン体１２６からの液垂れを防止することができる。しかしながら、連通孔１３６を開放するために可撓性の後軸１２４を両側から押しつぶすと、インキ室１３２内の内圧が上昇し、滲出すべき液体がインキ室１３２からせんい芯ペン体１２６に高圧で供給される。特に、水性インク等の液体を滲出させるために特許文献３に記載されている筆記具１２０を使用すると、せんい芯ペン体１２６に水性インク等が過剰に供給され、せんい芯ペン体１２６から液垂れが生じるおそれがある。
【００１０】
従って、本発明の目的は、外部環境が変化したときの液垂れ防止効果を向上させ、しかも、筆毛部材への液体の供給時、液体滲出具の内圧変化を低減することができる液体滲出具を提供することにある。
【００１１】
【課題を解決するための手段】
上記目的を達成するために、本発明による液体滲出具は、軸部材から突出した筆毛部材から液体を滲出させる液体滲出具であって、滲出すべき液体を収容するための、一端が閉鎖され且つ側壁を有する中空の軸部材と、軸部材の他端から突出し、軸部材の内部から供給された液体を吸蔵し且つ滲出させるための筆毛部材と、軸部材の内部をその軸線方向に仕切る仕切り壁部材と、仕切り壁部材の両側を連通させることを可能にするための弁手段と、を有し、仕切り壁部材は、軸部材の側壁とほぼ平行に且つそれと間隔を隔てて延びる仕切り側壁を有し、この仕切り側壁は、その両側を連通させる連通孔を有し、弁手段は、連通孔を閉鎖するために仕切り側壁の他端側に配置された弁本体と、連通孔を閉鎖するように弁本体を連通孔に弾性的に押付けるための弁押付け手段と、弁本体から連通孔を貫いて軸部材の側壁の近傍まで延びる弁延長部と、を有し、軸部材の側壁は、弁延長部を外部から押し込むための押し込み可能部分を含むことを特徴としている。
【００１２】
このように構成された液体滲出具によれば、軸部材の内部の一端側に収容された液体を、弁手段によって連通させた仕切り壁部材を越えて、軸部材の内部の他端側及び筆毛部材に供給する。次いで、供給された液体を筆毛部材によって吸収且つ貯蔵させ、筆毛部材を紙等に押し付けることによって筆毛部材から液体を滲出させる。軸本体の内部は、仕切り壁部材によって仕切られている。仕切り壁部材の仕切り壁に設けられている連通孔は、通常、弁本体及び弁押付け手段によって閉鎖されている。それにより、仕切り壁部材の一端側に収容されている液体は、外気圧が低下する等、外部環境が変化しても、仕切り壁部材の他端側に流入することはない。また、筆毛部材は液体を吸蔵する能力を有している。それにより、外部環境が変化した場合であっても、仕切り壁部材の他端側に収容されている液体は、筆毛部材の吸蔵能力の範囲内で筆毛部材に貯蔵される。本発明による液体滲出具は、引用文献２に記載されている塗布具と比較して、軸部材に収容される液体の容積のうち外部環境の変化による影響を受ける容積が減少している。その結果、外部環境が変化したときの筆毛部材からの液垂れ防止効果を向上させることができる。
【００１３】
また、軸本体に収容された液体を筆毛部材に供給する際、軸部材の側壁の押し込み可能部分を外部から押し込んで、弁延長部及び弁本体を移動させ、仕切り側壁の連通孔を開放させる。本発明による液体滲出具は、後軸を両側から押しつぶして弾性棒を介して球状弁を軸線方向に移動させる引用文献３に記載されている塗布具と異なり、弁延長部及び弁本体を軸部材の側壁から押し込む方向、即ち、軸線方向とほぼ垂直な方向に移動させる。かかる方向への移動は、軸部材を両側から押しつぶすことを必要とせず、片側からの押し込みで足りる。それにより、筆毛部材への液体の供給時、液体滲出具の内圧変化を低減させることができる。特に、液体が水、水性インク等の場合、顔料インキなどの固形分率の高いインキ類又は糊を供給する場合と異なり、押し込み距離は、連通孔がわずかに開放する程度で十分である。その結果、水、水性インク等が筆毛部材に高圧で過剰に供給されることが防止され、筆毛部材からの液垂れ防止効果を向上させることができる。
【００１４】
本発明において、好ましくは、更に、弁延長部の押し込み距離を制限する制限手段を有する。
【００１５】
このように構成することにより、軸部材の側壁の押し込み可能部分の変形が制限される。その結果、軸部材の内圧変化を確実に一定範囲内に制限することが可能になる。
【００１６】
本発明において、好ましくは、更に、仕切り壁部材の他端側に配置され、滲出すべき液体を吸蔵する吸蔵部材を有する。
【００１７】
このように構成することにより、筆毛部材の吸蔵能力に、吸蔵部材の吸蔵能力が追加される。その結果、外部環境の変化による液垂れ防止効果を更に向上させることができる。
【００１８】
本発明において、好ましくは、更に、軸部材の側壁の押し込み可能部分を覆うカバー手段を有する。
【００１９】
このように構成することにより、意図せずに押し込み可能部分を押し込むことを防止することができる。その結果、筆毛部材への液体の不要な供給を防止し、液垂れ防止効果を向上させることができる。
【００２０】
本発明において、好ましくは、軸部材は、筆毛部材に隣接した握り部を有し、押し込み可能部分は、軸部材の握り部の近傍に配置される。
【００２１】
このように構成することにより、液体滲出具を握りながら、即ち、筆毛部材から液体を滲出させながら、筆毛部材に適量の液体を容易に供給をすることができる。
【００２２】
本発明において、好ましくは、軸部材は、他端側に配置された中空の前軸体と、この前軸体の一端側に取付けられた可撓性で中空の後軸体とからなり、この後軸体は、押し込み可能部分を含む側壁を有し、仕切り壁部材は、前軸体に挿入された部分と、前軸体の内部から後軸体の内部に凸状に突出した部分と、を有し、仕切り側壁は、仕切り壁部材の凸状に突出した部分に設けられ、弁延長部の弁本体と反対の側に、拡張部材が設けられ、弁押付け手段は、拡張部材と仕切り側壁の間に配置されたコイルばねである。
【００２３】
このように構成することにより、液体滲出具の各部品の組立てが容易になる。また、後軸体が可撓性であるので、押し込み可能部分を押し込んで変形させたとき、軸部材の内圧変化が後軸体全体に分散される。その結果、軸部材の内圧変化を更に低減させることができる。
【００２４】
【発明の実施の形態】
以下、図面を参照して、本発明による液体滲出具の第１の実施形態を説明する。図１は、本発明の第１の実施形態である液体滲出具の縦断面図であり、図２は、図１の液体滲出具の部分拡大断面図である。
【００２５】
図１及び図２に示す液体滲出具１は、軸部材から突出した筆毛部材から水性インク、油性インク、水、墨汁、メイクアップ液料、香料等の液体を滲出させて、水等を塗布したり、線を書いたりするための道具である。この液体滲出具が１本あれば、筆圧を変えることにより、太い線から細い線まで様々な太さの線を自由に書くことができる。なお、以下の説明において、図１の右方を「前」と称し、図１の左方を「後」と称する。
【００２６】
図１に示すように、液体滲出具１は、前側に配置された中空の前軸体２とその後側に取付けられた中空の後軸体４とからなる、滲出すべき液体を収容するための中空の軸部材６を有する。後軸体４の後端部４ａは、閉鎖されている。液体滲出具１は、更に、前軸体２の前端２ａから突出し、軸部材６の内部から供給された液体を吸蔵し且つ滲出させるための筆毛部材組立体８と、中空の軸部材６の内部をその軸線方向に、即ち、前側と後側とに仕切る仕切り壁部材１０と、仕切り壁部材１０の両側を連通させることを可能にするための弁組立体１２とを有する。軸部材６の後側に収容された液体は、弁組立体１２によって連通させた仕切り壁部材１０を越えて、軸部材６の前側及び筆毛部材組立体８に供給される。供給された液体は、筆毛部材組立体８に吸蔵された後、筆毛部材組立体８から滲出される。
【００２７】
図２を参照すれば、前軸体２は、ほぼ円筒形状であり、その前端部には、キャップ１４が脱着可能に取付けられている。前軸体２には、筆毛部材組立体８が後方から挿入されるようになっており、前軸体２の内面には、筆毛部材組立体８を軸線方向に位置決めするための段付き部１６が設けられている。前軸体２は、通常、ＡＢＳ、ポリスチレン、ポリアミド、ポリプロピレン、ポリエステル等のプラスチックで作られる。液体滲出具１を使用するとき、筆毛部材組立体８に隣接した前軸体は、握り部を構成する。
【００２８】
後軸体４は、断面が楕円形である筒形状をなし、側壁１８を有する。後軸体４と前軸体２とは、それぞれに設けられたねじ山によって螺合している。後軸体４は、可撓性であり、塩化ビニル樹脂、ポリエチレン樹脂、ナイロン樹脂、ポリエチレンテレフタレート樹脂、ポリブチレンテレフタレート樹脂、ポリプロピレン樹脂等の可撓性材料で作られる。後軸体４は、これらの可撓性材料を用いて、単層で形成されていても良いし、複層で形成されていても良い。後軸体４の側壁１８は、弁組立体１２を外部から作動させるための押し込み可能部分２０を含む。押し込み可能部分２０は、前軸体２の近傍に配置されることが好ましい。また、押し込み可能部分２０の押し込みを解放したとき、後軸体４が元の形に戻ることが好ましい。また、後軸体４は、液体の色又は残量等が見えるように透明又は半透明材料で作られることが好ましい。
【００２９】
筆毛部材組立体８は、筆毛部材本体２２と、筆毛部材本体２２の後部を収容する中空円筒状のアダプター２４と、アダプター２４の周囲に配置された円筒形のスポンジ２６とを有する。
【００３０】
筆毛部材本体２２は、軸線方向に且つ円形に並べられた多数の繊維によって構成されている。並べられた多数の繊維の前部は、先細になっている。多数の繊維の後端部は互いに、接着剤で接着され、この接着剤によって、筆毛部材本体２２を軸線方向に位置決めするためのフランジ２８が構成されている。多数の繊維は、天然の毛であっても良いし、合成樹脂の毛であっても良いし、それらが組合わされていても良い。天然の毛は、例えば、ネズミ、馬、ブタ、たぬきなどの毛である。合成樹脂の毛は、例えば、ナイロン繊維、ポリエチレンテレフタレート繊維、アクリル繊維である。筆毛部材本体２２は、アダプター２４の後方からアダプターに挿入され、アダプター２４の前端から突出している。
【００３１】
アダプター２４は、筆毛部材本体２２のフランジ２８と当接する段付き部３０を有する。アダプター２４は、更に、段付き部３０の前側に設けられた前側孔３２と段付き部３０の後側に設けられた後側孔３４とを有する。前側孔３２及び後側孔３４はいずれも、アダプター２４の内部とアダプター２４の周囲に配置されたスポンジ２６とを連通させるための孔である。アダプター２４は、前軸体２の段付き部１６に当接するフランジ３６を有し、前軸体２の後方から前軸体２に挿入されている。接着剤で構成された筆毛部材本体２２のフランジ２８は、液体を通過させないので、筆毛部材組立体８は、後方からアダプター２４に供給された液体が後側孔３４、スポンジ２６、前側孔３２を経て、筆毛部材本体２２に供給されるように構成されている。筆毛部材本体２２及びスポンジ２６は、供給された液体を吸収して貯蔵する吸蔵体として機能する。
【００３２】
仕切り壁部材１０は、前軸体２に後方から挿入されている。仕切り壁部材１０は、前軸体２に挿入された部分４０と、前軸体２から後軸体４の内部に凸状に突出した部分４２とを有する。前軸体２に挿入された部分４０及び凸状に突出した部分４２により、内部空間４４が構成される。内部空間４４にスポンジ４６が配置されていることが好ましい。このスポンジ４６は、滲出すべき液体を吸収して貯蔵する吸蔵体として機能する。また、凸状に突出した部分４２は、軸部材６即ち後軸体４の側壁１８とほぼ平行に且つそれと間隔を隔てて延びる仕切り側壁４８を有する。仕切り側壁４８は、その両側を連通させる連通孔５０を有している。
【００３３】
仕切り壁部材１０と筆毛部材組立体８との間には、スペーサ５１が配置されることが好ましい。スペーサ５１は、仕切り壁部材１０の内部空間４４と筆毛部材組立体８とを連通させるための貫通孔５１ａを有している。
【００３４】
弁組立体１２は、仕切り側壁４８の連通孔５０を閉鎖するために仕切り側壁４８の内部空間４４側に配置された弁本体５２と、連通孔５０を閉鎖するように弁本体５２を連通孔５０に弾性的に押付けるためのコイルばね５４と、弁本体５２から連通孔５０を貫いて後軸体４の側壁１８の近傍まで延びる弁延長部５６とを有する。
【００３５】
弁本体５２は、連通孔５０を閉鎖するように連通孔５０よりも大きい寸法を有している。弁本体５２及び仕切り側壁４８は、組立ての際に弁本体５２を仕切り側壁４８の連通孔５０を通して仕切り壁部材１０内部空間４４に押し込むことが可能なプラスチック材料で作られている。弁本体５２は、内部空間４４への押し込みを容易にするための面取り部分を有していることが好ましい。
【００３６】
弁延長部５６は、弁本体５２と一体の部品で構成されている。弁延長部５６の弁本体５２と反対の側の端部５６ａは、弁本体５２と弁延長部５６が内部空間４４に完全に入ってしまわないように拡径している。端部５６ａには、拡張部材５８が固定されている。
【００３７】
拡張部材５８は、弁延長部５６の上を前後に延びている。拡張部材５８の両端部は、拡張部材５８が軸線方向と垂直な方向に摺動できるように仕切り壁手段１０に取付けられている。具体的には、拡張部材５８の両端部は、軸線方向と垂直な方向に延びており、その後側の端部は、仕切り壁手段１０に設けられている案内溝６０に摺動可能に嵌合し、その前側の端部は、仕切り壁手段１０の案内壁６２に摺動可能に当接している。
【００３８】
コイルばね５４は、弁延長部５６の周りに且つ拡張部材５８と仕切り側壁４８との間に配置されている。コイルばね５４は、予備圧縮された状態で組立てられ、通常、弁本体５２を連通孔５０に押付け、連通孔５０を閉鎖している。後軸体４の押し込み可能部分２０を押したとき、拡張部分５８を介して弁延長部５６が押し込まれ、コイルばね５４が圧縮される。弁延長部５６の押し込みは、コイルばね５４が完全に圧縮されるまで可能である。かくして、コイルばね５４は、弁延長部５６の押し込み距離を制限する機能を有する。
【００３９】
次に、本発明の第１の実施形態による液体滲出具の作用を説明する。
【００４０】
通常の状態では、仕切り側壁４８の連通孔５０は、コイルばね５４によって連通孔５０に押付けられている弁本体５２によって閉鎖されている。かくして、軸本体６の内部は、仕切り壁部材１０によって前後に仕切られていることになる。この状態で、例えば、外気圧が低下した場合、軸本体６の内部に収容されている液体は、負圧を受け、外方、即ち、筆毛部材本体２２に向って移動しようとする。しかしながら、仕切り壁部材１０の後側に収容されている液体は、連通孔５０が閉鎖されているため、仕切り壁部材１０の前側に流入することはない。これに対し、仕切り壁部材１０の前側に収容されている液体は、筆毛部材本体２２に向って移動する。しかしながら、筆毛部材２２及びスポンジ２６、４６が液体を吸蔵する能力を有しているので、液体は、筆毛部材２６及びスポンジ４６の吸蔵能力の範囲内でそれらに貯蔵される。このことは、液体滲出具１内部の温度が上昇し、膨張した液体が、筆毛部材本体２２に向って移動する場合等も同様である。その結果、外部環境が変化したときの筆毛部材本体２２からの液垂れ防止効果を向上させることができるのである。軸部材６の仕切り壁部材１０よりも前側の容積が小さければ小さいほど、液垂れ防止効果を向上させることができるので好ましい。また、軸部材６の仕切り壁部材１０よりも前側の内部空間４４にスポンジを配置することは、それにより吸蔵能力が増大するので好ましい。
【００４１】
液体滲出具１の使用中等、軸本体６の内部に収容された液体を筆毛部材本体２２に供給する場合には、後軸体６の側壁１８の押し込み可能部分２０を外部から押し込む。それにより、拡張部材５８を介して弁延長部５６及び弁本体５２を移動させ、仕切り側壁４８の連通孔５０を開放させる。液体が水性インク又は水等の場合、連通孔５０が少しでも開放すれば、液体は、重力によって仕切り壁手段１０の内部空間４４に容易に流入する。内部空間４４に流入した液体は、スペーサ５１の貫通孔５１a、後側孔３４、スポンジ２６、前側孔３２を経て、筆毛部材本体２２に供給される。
【００４２】
押し込み可能部分２０を押し込むとき、弁延長部５６及び弁本体５２は、後軸体４の側壁１８から押し込む方向、即ち、軸線方向とほぼ垂直な方向に移動する。また、押し込み可能部分２０を押すときの反力を押し込み可能部分２０の近傍の前軸体２で受けることが可能である。従って、後部材４は両側から押しつぶされず、片側が変形するに過ぎない。それにより、筆毛部材本体２２への液体の供給時、液体滲出具１の内圧変化を低減することができる。その結果、液体が筆毛部材本体２２に高圧で過剰に供給されることが防止され、筆毛部材本体２２からの液垂れ防止効果を向上させることができる。
【００４３】
次に、本発明による液体滲出具の第２の実施形態を説明する。図３は、本発明の第２の実施形態による液体滲出具の部分拡大断面図である。
【００４４】
図３に示すように、本発明の第２の実施形態による液体滲出具７０は、第１の実施形態による液体滲出具１の弁組立体１２の拡張部材５８と、拡張部材５８を取付ける仕切り壁部材１０の部分だけが相違する。このため、図３において、第１の実施形態と共通する部分には同様の符号を付し、それらの部分の説明を省略する。
【００４５】
液体滲出具７０は、本発明による第１の実施形態である液体滲出具１の拡張部材５８及び仕切り壁部材１０それぞれの代わりに、拡張部材７２及び仕切り壁部材７４を有する。拡張部材７２は、弁延長部５６に固定され、その上を前後に延びている。拡張部材７２の両端部は、拡張部材７２の組立て時、拡張部材７２が軸線方向に移動できるように仕切り壁部材７４に摺動可能に取付けられている。具体的には、仕切り壁部材７４は、軸線方向に延びる側壁７６(本実施形態の場合側壁４８と共通)と案内溝７８とを有している。拡張部材７２の一方の端部は、側壁７６に近づくように延び、側壁７６に摺動可能に当接している。拡張部材５８の他方の端部は、案内溝７８に摺動可能に嵌合している。
【００４６】
次に、本発明による液体滲出具の第３の実施形態を説明する。図４は、本発明の第３の実施形態による液体滲出具の部分拡大断面図である。
【００４７】
図４に示すように、本発明の第３の実施形態による液体滲出具８０は、第１の実施形態による液体滲出具１の後軸体４の押し込み可能部分２０に、スライド式のカバーを追加したものである。このため、図４において、第１の実施形態と共通する部分には同様の符号を付し、それらの部分の説明を省略する。
【００４８】
液体滲出具８０は、押し込み可能部分２０を覆うことが可能なスリーブ状のカバー８２を有している。カバー８２は、実線で示す前軸体２の上と二点鎖線で示す押し込み可能部分２０の上方との間を移動可能である。カバー８２の両端部には、内方に延びる環状の突起８４が設けられている。前軸体２には、外方に延びる環状の突起８６が設けられている。カバー８２の突起８４と前軸体２の突起８６とが協働して、カバーの移動範囲を制限する。
【００４９】
本発明は、以上の実施形態に限定されることなく、特許請求の範囲に記載された発明の範囲内で種々の変更が可能であり、それらも本発明の範囲内に包含されることはいうまでもない。
【００５０】
上述の実施形態では、軸部材６は、前軸体２と後軸体４とから構成されていたが、前軸体２と後軸体４とが一体であっても良い。
【００５１】
また、上述の実施形態では、後軸体４全体が可撓性材料で構成されていたが、可撓性の押し込み可能部分２０を有していれば、後軸体４全体が可撓性材料で構成されていなくても良い。
【００５２】
また、上述の実施形態では、仕切り壁部材１０、７４は、前軸体２に挿入され、前軸体２に取付けられていたが、軸部材６の内部を軸線方向に仕切っていれば良く、後軸体４に挿入される等して後軸体４に取付けられていても良いし、前軸体と後ろ軸体の両方に取付けらていても良い。仕切り壁部材１０、７４の形状も任意である。
【００５３】
また、上述の実施形態では、コイルばね５４が、弁延長部材５６の周りに且つ拡張部材５８、７２と仕切り側壁４８との間に配置されていたが、コイルばねは、弁本体５２を連通孔５０に押付けることができればどこに配置されていても良い。例えば、コイルばねを仕切り壁手段１０、７４の内部空間４４に配置して、弁本体５２に接触させても良いし、仕切り壁手段１０、７４の後側に配置して、拡張部材５８、７２を後軸体４の側壁１８に向って押しても良い。
【００５４】
また、上述の実施形態では、弁本体５２を連通孔５０に押付けるためにコイルばね５４を使用したが、他の手段を用いても良い。例えば、拡張部材５８、７２の形状をばね作用を有するように構成し、それをコイルばね５４の代わりに使用しても良い。
【００５５】
また、拡張部材５８、７２の形状も任意である。例えば、第１の実施形態の液体滲出具１の拡張部材５８の両端部に、拡張部材５８の移動を吸収する折り曲げ部を形成し、拡張部材５８を移動させても拡張部材５８が仕切り壁部材１０に対して摺動しないようにしても良い。
【００５６】
また、第３の実施形態に示したカバー８２の形状及び機構は、任意であり、液体滲出具を握りながら、即ち、筆毛部材から液体を滲出させながら、筆毛部材に適量の液体を容易に供給をするようにカバーを構成しても良い。
【００５７】
上述の変形例を、任意に組合わせても良い。
【００５８】
【発明の効果】
本発明の液体滲出具により、外部環境が変化したときの液垂れ防止効果を向上させ、しかも、筆毛部材への液体の供給時、液体滲出具の内圧変化を低減することができる。
【図面の簡単な説明】
【図１】本発明の第１の実施形態による液体滲出具の断面図である。
【図２】図１の液体滲出具の部分拡大断面図である。
【図３】本発明の第２の実施形態による液体滲出具の部分拡大断面図である。
【図４】本発明の第３の実施形態による液体滲出具の部分拡大断面図である。
【図５】従来技術の液体滲出具の縦断面図である。
【図６】従来技術の液体滲出具の縦断面図である。
【符号の説明】
１    液体滲出具
２    前軸体
４    後軸体
６    軸部材
８    筆毛部材組立体
１０  仕切り壁部材
１２  弁組立体
１８  側壁
２０  押し込み可能部分
２６  スポンジ
４０  前軸体に挿入された部分
４２  凸状に突出した部分
４６  スポンジ
４８  仕切り側壁
５０  連通孔
５２  弁本体
５４  コイルばね
５６  弁延長部
５８、拡張部材
７０、８０  液体滲出具
７２  拡張部材
７４  仕切り壁部材
８２  カバー
【図１】
2004202875.tif 000003
【図２】
2004202875.tif 000004
【図３】
2004202875.tif 000005
【図４】
2004202875.tif 000006
【図５】
2004202875.tif 000007
【図６】
2004202875.tif 000008